(57)【特許請求の範囲】
【請求項１】
後面板、左側面板、前面板、右側面板、内後面版を順次折罫を介して連設し、前記前面板及び前記後面板の上端に蓋板を、下端に底板をそれぞれ連設したブランク板を組み立ててなる紙箱であって、前記前面板の左右方向全巾に渡って前記蓋板側から前記底板側に向かって傾斜した斜め折線を設け、かつ前記左右両側面板に前記斜め折線両端部と、後面板と蓋板と側面板の交点とを結ぶ切取線が設けられ、前記後面板の上部に２本のミシン目からなる帯状切除部が形成され、前記内後面板の上部に差込み用切目が形成されており、前記帯状切除部を引き裂くことにより、前記２本のミシン目のうち上方に位置するミシン目の一部が下方に突出して差込みフラップが前記蓋板に連設されて形成されるとともに、前記蓋板を前記前面板側に前記斜め折線を中心に開閉させることにより、前記差込みフラップを前記差込み用切目に挿入するようにしたことを特徴とする紙箱。
【請求項２】
前記差込みフラップの下端が前記斜め折線とほぼ同じ角度で傾斜していることを特徴とする請求項１記載の紙箱。
【発明の詳細な説明】
【０００１】
【発明の属する技術分野】
本発明は、一枚のブランク板から形成され、ヒンジ折線を介して開閉自在な蓋部を有する紙箱に関するものであり、さらに詳しくは、開口部分を大きくし内容物を取り出し易くしたものである。
【０００２】
【従来の技術】
従来この種の紙箱は、例えば実公平７−６０９１号公報や実公平７−３８１２７号公報に示されているように、本体部と、ヒンジ折線を介して本体部に連設されている蓋部から構成され、前記蓋部は、ヒンジ折線を中心に開閉可能となっている。しかしながら、前記のような紙箱は、ヒンジ折線が天板寄りに水平に設けられているため、蓋部は、ヒンジ折線を中心に水平に回動するため、開口部分が狭く内容物が非常に取り出しにくいという問題がある。また、細長いものや巾のある内容物の場合には、一層取り出しにくくなる。
【０００３】
【発明が解決しようとする課題】
本発明が解決しようとする課題は、内容物を容易に取り出すことができる紙箱を提供することである。
【０００４】
【課題を解決するための手段】
上記課題を解決するために、本発明にあっては、以下のような構成の紙箱を提供する。
【０００５】
すなわち、本発明は、後面板、左側面板、前面板、右側面板、内後面版を順次折罫を介して連設し、前記前面板及び前記後面板の上端に蓋板を、下端に底板をそれぞれ連設したブランク板を組み立ててなる紙箱であって、前記前面板の左右方向全巾に渡って前記蓋板側から前記底板側に向かって傾斜した斜め折線を設け、かつ前記左右両側面板に前記斜め折線両端部と、後面板と蓋板と側面板の交点とを結ぶ切取線が設けられ、前記後面板の上部に２本のミシン目からなる帯状切除部が形成され、前記内後面板の上部に差込み用切目が形成されており、前記帯状切除部を引き裂くことにより、前記２本のミシン目のうち上方に位置するミシン目の一部が下方に突出して差込みフラップが前記蓋板に連設されて形成されるとともに、前記蓋板を前記前面板側に前記斜め折線を中心に開閉させることにより、前記差込みフラップを前記差込み用切目に挿入するようにしたことを特徴とする紙箱である。この紙箱によれば、紙箱の上部が斜め折線を中心として前面板側に大きく開くことができるため、内容物が非常に取り出しやすくなる。
【０００６】
また、前記後面板の上部に２本のミシン目からなる帯状切除部が形成され、前記内後面板の上部に差込み用切目が形成されており、前記２本のミシン目のうち上方に位置するミシン目は、一部が下方に突出して差込みフラップが形成されるものであることを特徴とする紙箱である。この紙箱の場合、帯状切除部を切り取ると、差込みフラップが蓋板に連設した状態となり、差込みフラップを内後面板の差込み用切目に挿入すると、リクローズ可能となる。
【０００７】
また、前記差込みフラップの下端が前記斜め折線とほぼ同じ角度で傾斜していることを特徴とする紙箱である。この紙箱の場合、差込みフラップの下端が前面板の斜め折線とほぼ同じ角度で傾斜しているため、差込みフラップを差込み用切目に挿入し易くなる。
【０００８】
【発明の実施の形態】
以下に本発明の実施形態を図１〜図４に従って詳細に説明する。
図１は、本発明の紙箱の展開図、図２は紙箱の斜視図、図３は、紙箱の開蓋状態の斜視図である。図４は、他の実施形態の開蓋状態の斜視図である。図において、Ａは紙箱、Ｂは蓋部，Ｃは本体部、１は後面板、２は左側面板、３は前面板、４は右側面板、５は内後面板、６は蓋板、７は底板である。
【０００９】
本発明の紙箱は、図１に示すブランク板から形成されるものであり、後面板１，左側面板２，前面板３，右側面板４，内後面板５が順次折罫を介して連設されている。後面板１及び前面板３の上端には蓋板６１，６２が連設され、後面板１及び前面板３の下端には底板７１，７２が連設されている。左側面板２及び右側面板４の両端には、舌片８１，８２，８３，８４が連設されている。また、後面板１の上部には、差込みフラップ１１を残して帯状切除部１２が形成されるようにミシン目１３，１４が穿設されており、内後面板５の上部には差込みフラップ１１が挿入される逆Ｔ字型の差込み用切目５１が穿設されている。さらに、前面板３の左右方向全巾に渡って蓋板６２側に斜め折線３１が形成されており、該斜め折線３１は蓋板６２近傍から底板７２側に向かって右下がりに傾斜している。左側面板２には、斜め折線３１の左端と、前面板１と左側面板２と蓋板６１の交点とを結ぶ切取線２１が、右側面板４には、斜め折線３１の右端と内後面板５と舌片８３と右側面板４の交点とを結ぶ切取線４１が穿設されている。なお、この切取線２１，４１は、ブランク板から組み立てられた図２の状態では、切取線２１は、斜め折線３１の左端と、後面板１と蓋板６と左側面板２の交点とを結び、切取線４１は、斜め折線３１の右端と、後面板１と蓋板６と右側面板４の交点とを結んでいる。
【００１０】
次に、図１のブランク板から紙箱Ａを組み立てる工程を説明すると、後面板１，左側面板２，前面板３，右側面板４，内後面板５を順次折罫に沿って折り曲げ、後面板１の帯状切除部１２と重なる部分を除いて内後面板５に接着剤を塗布し、内後面板５上に後面板１を重ね合わせ両者を接着し、筒状とする。さらに、舌片８１，８２，８３，８４を内側に折り込んだ後、蓋板６２および底板７２に接着剤を塗布し、蓋板６２上に蓋板６１を、底板７２上に底板７１を重ね合わせ、図２に示す紙箱Ａが製函される。
【００１１】
図２の紙箱Ａの後面板１の上部に形成された帯状切除部１２を引き裂くと、後面板の上端にＵ字型の差し込み片１１を残して帯状切除部１２が開封用ミシン目１３，１４に沿って切り取られ、蓋部Ｂを上方に引き上げると、ミシン目２１及びミシン目４１が切り取られ、蓋部Ｂと本体部Ｃに分離される。この状態が図３に示した状態である。蓋部Ｂは前面板３側に斜め折線３１を中心に開閉することができ、右側面板４に近づくに従って開口部が大きくなり、内容物が取り出しやすくなる。また、蓋部Ｂを後面板１側に倒し、蓋板６１に連設された差込みフラップ１１を内後面板５の差込み用切目５１に挿入すると、蓋部Ｂをリクローズすることができる。
【００１２】
図４は、本発明の別の実施形態を示すものであり、差込みフラップ１１の下端が、左側面板２側から右側面板４側に右下がりに傾斜している以外は、図１〜図３の第１実施例と同一である。このように、差込みフラップ１１の下端を傾斜するように形成すると、蓋部Ｂを閉じる際に差込みフラップ１１を差込み用切目５１に挿入しやすくなる。
【発明の効果】
本発明の紙箱は、前面板の左右方向全巾に渡って蓋板側から底板側に向かって傾斜した斜め折線を設け、かつ左右両側面板に斜め折線の両端部と、後面板と蓋板と左右両側面板の交点とを結ぶ切取線が設けられているため、蓋部を前面板側に斜めに倒すことができ、右側面板に近づくに従い開口部が大きくなり、内容物が非常に取り出しやすくなる。また、後面板の上部に２本のミシン目からなる帯状切除部が形成され、前記内後面板の上部に差込み用切目が形成され、前記２本のミシン目のうち上方に位置するミシン目は、一部が下方に突出して差込みフラップが形成されるようにしたものでは、差込みフラップを内後面板の差込み用切目に挿入することにより、蓋部を閉じることができる。さらに、差込みフラップの下端を斜め折線とほぼ同じ角度で傾斜するようにしたものでは、差込みフラップが差込み用切目に挿入し易くなる。
【図面の簡単な説明】
【図１】本発明の紙箱の展開図。
【図２】紙箱の斜視図。
【図３】紙箱の開蓋状態の斜視図。
【図４】他の実施形態の開蓋状態の斜視図。
【符号の説明】
Ａ  紙箱                      Ｂ  蓋部
Ｃ  本体部                    １  後面板
２  左側面板                  ３  前面板
４  右側面板                  ５  内後面板
６  蓋板                      ７  底板
【図１】
0003776503.tif 000002
【図２】
0003776503.tif 000003
【図３】
0003776503.tif 000004
【図４】
0003776503.tif 000005